(57)【要約】【課題】本発明は、組立及び連結が容易で、変化性に富んだ照明群に連結できるＬＥＤ防爆ランプを提供することにある。【解決手段】本発明は、積載モジュールと、電気制御モジュールと、放熱モジュールと、発光モジュールと、ハウジングモジュールと、防爆モジュールとを包括するＬＥＤ防爆ランプであって、そのうち、前記積載モジュールは、本体及び開口を備える収容空間を有し、前記本体は、外表面に、前記本体に相対して水平或いは傾斜を呈する少なくとも一つのアームが延在し、前記アームはもう一つのＬＥＤ防爆ランプに連結するため或いは固定するための接合部を有しており、前記防爆モジュールは、前記接合部に設けられている。【選択図】図１
2015204250.tif 000002
【特許請求の範囲】
【請求項１】
外表面に少なくとも一つのアームが延在する本体及び開口を備える収容空間を有し、前記アームはもう一つのＬＥＤ防爆ランプに連結するため或いは固定するための貫通孔を備える接合部を有する積載モジュールと、
前記収容空間に設けられ、電気制御台及び端子台を備える配線ボックスを包括する電気制御モジュールと、
前記積載モジュールと接続し、ベース及び収容槽を有する放熱モジュールと、
前記ベースに設けられ、前記電気制御モジュールと電気的に接続する発光モジュールと、
重なり合う蓋体及びランプシェードを包括し、前記蓋体は前記放熱モジュールと接続し、前記ランプシェードは前記ベースに対応して前記収容槽に設けるハウジングモジュールと、
前記接合部に設ける防爆モジュールと、を包括することを特徴とするＬＥＤ防爆ランプ。
【請求項２】
前記防爆モジュールは、防爆部材と、それぞれ前記防爆部材の両端に設ける第一座金と、前記接合部より離れた一端に設ける圧迫栓とを包括することを特徴とする請求項１に記載のＬＥＤ防爆ランプ。
【請求項３】
前記防爆部材は、防爆ゴムを用い、前記圧迫栓は金属栓を用いることを特徴とする請求項２に記載のＬＥＤ防爆ランプ。
【請求項４】
前記接合部は、もう一つのＬＥＤ防爆ランプを異なる角度で接合するため或いは固定するために用いる複数の固定穴を備えることを特徴とする請求項１に記載のＬＥＤ防爆ランプ。
【請求項５】
ディスクをさらに包括し、前記ディスクは前記接合部と接続し、フランジ（ｆｌａｎｇｅ）を用いることを特徴とする請求項４に記載のＬＥＤ防爆ランプ。
【請求項６】
前記積載モジュールは、第一パッキンを設けるための第一環状溝を有することを特徴とする請求項１に記載のＬＥＤ防爆ランプ。
【請求項７】
前記ベースは、第二パッキンを設けることを特徴とする請求項１に記載のＬＥＤ防爆ランプ。
【請求項８】
前記アームは、前記本体に相対して水平或いは傾斜を呈するように設置することを特徴とする請求項１に記載のＬＥＤ防爆ランプ。
【請求項９】
前記ハウジングモジュールは、前記蓋体と前記ランプシェードとの間に第二座金をさらに包括し、前記ランプシェードは、強化ガラスを用いることを特徴とする請求項１に記載のＬＥＤ防爆ランプ。
【請求項１０】
前記発光モジュールは、ＬＥＤ発光素子を設ける基板を有し、修飾カバーをさらに包括し、前記修飾カバー及び前記基板を前記ベースとねじ固定により接続することを特徴とする請求項１に記載のＬＥＤ防爆ランプ。
【発明の詳細な説明】
【技術分野】
【０００１】
本発明は、特に組立及び連結が容易なＬＥＤ防爆ランプに関するものである。
【背景技術】
【０００２】
現在、化学プラント、石油化学プラント、油田、炭鉱等の産業拠点において、可燃性、爆発性、酸化性、腐食性等の気体や粉塵、又は化学製品が常時、散布或いは貯蔵しているため、これ等の地点では、防爆性を有さないランプの老朽化或いは故障等により火気が発生して上記の気体や粉塵、又は化学製品が爆発する事故を未然に防ぐように、防爆ランプを使用しなければならない。
【０００３】
従来の防爆ランプは、配線において、その気密性を増加させるため、ケーブルの位置にさらに従来のケーブルグランドを設置し、また、もう一つ又は複数の防爆ランプと接続したい場合、防爆ランプは配線及び設置を行う配線ボックスを別に設けなくてはならない。
【０００４】
そのため、従来の防爆ランプは、配線において、新たにケーブルやケーブルグランド、又は配線ボックスを設けなければならず、ランプの生産コストを上げるだけでなく、防爆ランプの設置の利便性を改善する必要がある。
【発明の概要】
【発明が解決しようとする課題】
【０００５】
本発明の主要な目的は、組立及び連結が容易で、変化性に富んだ照明群に連結できるＬＥＤ防爆ランプを提供することにある。
【課題を解決するための手段】
【０００６】
上述の目的を達成するため、本発明は、積載モジュールと、電気制御モジュールと、放熱モジュールと、発光モジュールと、ハウジングモジュールと、防爆モジュールとを包括するＬＥＤ防爆ランプであって、前記積載モジュールは、外表面に少なくとも一つのアームが延在する本体及び開口を備える収容空間を有し、前記アームはもう一つのＬＥＤ防爆ランプに連結するため或いは固定するための貫通孔を備える接合部を有しており、前記電気制御モジュールは、前記収容空間に設けられ、電気制御台及び端子台を備える配線ボックスを包括しており、前記放熱モジュールは、前記積載モジュールと接続し、ベース及び収容槽を有しており、前記発光モジュールは、前記ベースに設けられ、前記電気制御モジュールと電気的に接続しており、前記ハウジングモジュールは、重なり合う蓋体及びランプシェードを包括し、前記蓋体は前記放熱モジュールと接続し、前記ランプシェードは前記ベースに対応して前記収容槽に設けられており、前記防爆モジュールは、前記接合部に設けられている。
【発明の効果】
【０００７】
以上のことから、本発明のＬＥＤ防爆ランプは、第一に、従来の防爆ケーブルグランドを使用せずに配線を行い、直接使用することができ、且つ防爆効果を備え、第二に、単一で使用することが可能で、防爆配線ボックスを介さずに一つ以上のＬＥＤ防爆ランプに連結することもでき、第三に、直接二つのＬＥＤ防爆ランプをねじ固定により互いに連結し、そのねじ固定の角度を調整すること、又は異なる態様の積載モジュールに変更することで、ＬＥＤ防爆ランプの連結が変化性に富んだ形態を有するという利点がある。
【図面の簡単な説明】
【０００８】
【図１】本発明を示す立体分解図である。
【図２】本発明を示す立体組立図である。
【図３】図２の２Ｂ−２Ｂ線断面図である。
【図４】本発明の単一のＬＥＤ防爆ランプを示す実施模式図である。
【図５】本発明の積載モジュールの実施態様を示す模式図（一）である。
【図６】本発明の積載モジュールの実施態様を示す模式図（二）である。
【図７】本発明の積載モジュールの実施態様を示す模式図（三）である。
【図８】本発明の積載モジュールの実施態様を示す模式図（四）である。
【図９】本発明の積載モジュールの実施態様を示す模式図（五）である。
【図１０】本発明の積載モジュールの実施態様を示す模式図（六）である。
【図１１】本発明の積載モジュールの実施態様を示す模式図（七）である。
【図１２】本発明のＬＥＤ防爆ランプが互いに連結し合うことを示す実施模式図である。
【図１３】本発明の複数のＬＥＤ防爆ランプを連結することを示す実施模式図である。
【図１４】本発明の積載モジュールのアームのもう一つの実施態様を示す模式図である。
【図１５】本発明のＬＥＤ防爆ランプがＬＥＤ防爆ランプの照明群となることを示す模式図である。
【発明を実施するための形態】
【０００９】
図面を参照しつつ、以下において、本発明の構成をどのように設置、使用するかを詳細に説明することで、本発明の目的、技術内容、特徴及び達成する効果が容易に理解することができる。本発明の詳細な説明に入る前に、まず先に、後述の説明において、同じ素子の異なる態様での実施では、同じ符号で表記している。
【００１０】
図１乃至図３を参照すると、本発明のＬＥＤ防爆ランプ１は、積載モジュール２と、電気制御モジュール３と、ケーブルＣと、放熱モジュール４と、発光モジュール５と、ハウジングモジュール６と、防爆モジュール７とを包括している。
【００１１】
前記積載モジュール２は、外表面に少なくとも一つのアーム２４が水平に延在する本体２１及び開口２２を備える収容空間２３を有し、前記アーム２４はもう一つのＬＥＤ防爆ランプに連結するため或いは直接又はコネクタやフレームを介して間接的に壁面に固定するために用いる接合部２５を有し、前記接合部２５は収容空間２３と貫通する貫通孔２５１及びもう一つのＬＥＤ防爆ランプを異なる角度で接合するため或いは固定するために用いる複数の固定穴２５２を備え、これ等固定穴２５２の個数は１６個で、間隔を２２．５°開けて貫通孔２５１に環設するようにし、前記積載モジュール２の外周縁には第一パッキン２７を設ける第一環状溝２６を有し、且つ前記積載モジュール２は、前記第一環状溝２６の下方四周縁において、凸出部２１１及び貫設孔２１２をそれぞれ設けている。
【００１２】
前記電気制御モジュール３は、ねじ固定により前記収容空間２３に設けられ、電気制御台３１及び端子台３３を備える配線ボックス３２を包括し、そのうち、前記電気制御台３１は前記ＬＥＤ防爆ランプ１を駆動する電気回路である。
【００１３】
前記ケーブルＣは、前記接合部２５の前記固定穴２５２に貫設し、且つ前記電気制御モジュール３と電気的に接続している。
【００１４】
前記放熱モジュール４は、底部に前記積載モジュール２のこれ等貫設孔２１２に対応する複数のねじ固定孔４０を備え、複数の固定部材８の挿入により前記積載モジュール２のこれ等貫設孔２１２と前記放熱モジュール４のこれ等ねじ固定孔４０とをねじ固定により接続し、前記放熱モジュール４の上方にはベース４１及び収容槽４２を有し、前記ベース４１は第二パッキン４３を設け、且つ前記放熱モジュール４の表面は複数の放熱フィン４４を有している。
【００１５】
前記発光モジュール５は、ＬＥＤ発光素子を設ける基板５１及び修飾カバー５２を包括し、前記基板５１は前記電気制御モジュール３と電気的に接続し、且つ複数の固定部材８の挿入により前記修飾カバー５２及び前記基板５１を前記放熱モジュール４の前記ベース４１に対応する穴とねじ固定により接続している。
【００１６】
前記ハウジングモジュール６は、重なり合う蓋体６１及びランプシェード６２を包括し、前記蓋体６１と前記ランプシェード６２との間に第二座金６３をさらに包括し、前記ランプシェード６２は強化ガラスを用い、前記ベース４１に対応して前記収容槽４２の上方に設けられ、且つ複数の固定部材８により前記蓋体６１を前記放熱モジュール４に対応する穴とねじ固定により接続している。
【００１７】
前記防爆モジュール７は、前記ケーブルＣを貫設する防爆部材７１と、前記ケーブルＣを貫設してそれぞれ前記防爆部材７１の両端に設ける第一座金７２と、前記ケーブルＣを貫設して前記接合部２５より離れた一端に設ける圧迫栓７３とを包括し、前記防爆部材７１は防爆ゴムを用い、前記圧迫栓７３は金属栓を用いている。
【００１８】
図４を参照すると、本発明のＬＥＤ防爆ランプ１を単一照明として実施する場合、ディスクＦをさらに包括し、前記ディスクＦは前記接合部２５とねじ固定により接続し、フランジ（ｆｌａｎｇｅ）或いはその他のアダプタを用いている。
【００１９】
本発明の積載モジュール２は、前記本体２１の前記ハウジングモジュール６より離れた一方或いは前記本体２１の周縁にある水平な四方の少なくとも一方に前記アーム２４及び前記接合部２５を設けて実施しており、また本発明の積載モジュール２は、図５乃至図１１のように、それぞれ異なる実施態様（一）〜（七）、順にスリング式、水平連結式、スリング連結式、Ｌ字連結式、Ｔ字連結式、十字連結式、スリング十字連結式によって応用することができる。
【００２０】
次に、図１２を参照すると、ＬＥＤ防爆ランプ１はもう一つのＬＥＤ防爆ランプ１（図６に図示される積載モジュール２仕様）と互いに連結し、直接ねじ固定され、もう一端よりケーブルＣを挿入して電気供給することで使用可能となり、また、図１３のように、異なるＬＥＤ防爆ランプ１を異なる角度でねじ固定により連結する実施態様にもなる。
【００２１】
また、図１４で図示するＬＥＤ防爆ランプ１は、もう一つの実施態様であって、前記アーム２４は前記積載モジュール２の前記本体２１に相対して傾斜を呈するように設置され、前記接合部２５も傾斜を呈するように設置する態様で、且つ前記ＬＥＤ防爆ランプ１は上述の図５乃至図１１にある積載モジュール２のような異なる態様で実施することができる。また、本発明は、図１５にあるような群をなす態様をさらに提供しており、水平アームの接合部を用いた複数のＬＥＤ防爆ランプ１と傾斜アームの接合部を用いたＬＥＤ防爆ランプ１とで群をなすＬＥＤ防爆ランプの照明群であって、これによって群をなすことでランプの変化はさらに豊富になる。
【００２２】
以上のことから、本発明は、従来のケーブルグランドを必要とせず、防爆部材、第一座金及び圧迫栓により防爆効果を有し、且つ単一で直接配線して使用、或いは様々な連結方法で一つ以上のＬＥＤ防爆ランプを使用することができ、異なるねじ固定の角度又は異なる態様の積載モジュールによって、変化性に富んだ形式となる。
【符号の説明】
【００２３】
１        ＬＥＤ防爆ランプ
２        積載モジュール
２１      本体
２１１    凸出部
２１２    貫設孔
２２      開口
２３      収容空間
２４      アーム
２５      接合部
２５１    貫通孔
２５２    固定穴
２６      第一環状溝
２７      第一パッキン
３        電気制御モジュール
３１      電気制御台
３２      配線ボックス
３３      端子台
４        放熱モジュール
４１      ベース
４２      収容槽
４３      第二パッキン
４４      放熱フィン
５        発光モジュール
５１      基板
５２      修飾カバー
６        ハウジングモジュール
６１      蓋体
６２      ランプシェード
６３      第二座金
７        防爆モジュール
７１      防爆部材
７２      第一座金
７３      圧迫栓
８        固定部材
Ｃ        ケーブル
Ｆ        ディスク
【図１】
2015204250.tif 000003
【図２】
2015204250.tif 000004
【図３】
2015204250.tif 000005
【図４】
2015204250.tif 000006
【図５】
2015204250.tif 000007
【図６】
2015204250.tif 000008
【図７】
2015204250.tif 000009
【図８】
2015204250.tif 000010
【図９】
2015204250.tif 000011
【図１０】
2015204250.tif 000012
【図１１】
2015204250.tif 000013
【図１２】
2015204250.tif 000014
【図１３】
2015204250.tif 000015
【図１４】
2015204250.tif 000016
【図１５】
2015204250.tif 000017
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
外表面に少なくとも一つのアームが延在する本体及び開口を備える収容空間を有し、前記アームは接合部及び前記収容空間と前記接合部とを連通する貫通孔を備え、前記接合部はもう一つの接合部と固定するように接合することで、もう一つのＬＥＤ防爆ランプに連結させる積載モジュールと、
前記収容空間に設けられ、電気制御台及び端子台を備える配線ボックスを包括する電気制御モジュールと、
前記積載モジュールと接続し、ベース及び収容槽を有する放熱モジュールと、
前記ベースに設けられ、前記電気制御モジュールと電気的に接続する発光モジュールと、
重なり合う蓋体及びランプシェードを包括し、前記蓋体は前記放熱モジュールと接続し、前記ランプシェードは前記ベースに対応して前記収容槽に設けるハウジングモジュールと、
前記貫通孔内に設ける防爆モジュールと、を包括することを特徴とするＬＥＤ防爆ランプ。
【請求項２】
前記防爆モジュールは、防爆部材と、それぞれ前記防爆部材の両端に設ける第一座金と、前記接合部より離れた一端に設ける圧迫栓とを包括することを特徴とする請求項１に記載のＬＥＤ防爆ランプ。
【請求項３】
前記防爆部材は、防爆ゴムを用い、前記圧迫栓は金属栓を用いることを特徴とする請求項２に記載のＬＥＤ防爆ランプ。
【請求項４】
前記接合部は、もう一つのＬＥＤ防爆ランプを異なる角度で接合するため或いは固定するために用いる複数の固定穴を備えることを特徴とする請求項１に記載のＬＥＤ防爆ランプ。
【請求項５】
前記積載モジュールは、第一パッキンを設けるための第一環状溝を有することを特徴とする請求項１に記載のＬＥＤ防爆ランプ。
【請求項６】
前記ベースは、第二パッキンを設けることを特徴とする請求項１に記載のＬＥＤ防爆ランプ。
【請求項７】
前記アームは、前記本体に相対して水平或いは傾斜を呈するように設置することを特徴とする請求項１に記載のＬＥＤ防爆ランプ。
【請求項８】
前記ハウジングモジュールは、前記蓋体と前記ランプシェードとの間に第二座金をさらに包括し、前記ランプシェードは、強化ガラスを用いることを特徴とする請求項１に記載のＬＥＤ防爆ランプ。
【請求項９】
前記発光モジュールは、ＬＥＤ発光素子を設ける基板を有し、修飾カバーをさらに包括し、前記修飾カバー及び前記基板を前記ベースとねじ固定により接続することを特徴とする請求項１に記載のＬＥＤ防爆ランプ。